(57)【要約】  移動通信端末機を用いて緊急事態を第三者に通知するための緊急呼出システム及びその制御方法を提供する。上記緊急呼出システムは、呼出端末機と、基地局（ＢＳ）と、管理サーバとを含む。予め登録された加入者の緊急事態を認識した場合には、上記管理サーバは、該緊急事態を緊急事態受信センターに通知する。上記呼出端末機は、第１の緊急メッセージ及び第２の緊急メッセージを生成して送信する。当該第１の緊急メッセージは、緊急事態通知メッセージ、少なくとも一つの被呼出端末機（受信先）の電話番号、及びＢＳ識別情報を含み、当該第２の緊急メッセージは、当該緊急事態通知メッセージ及び当該加入者の電話番号を含む。上記ＢＳは、当該第１及び第２の緊急メッセージを受信し、該受信された第１及び第２の緊急メッセージを上記管理サーバ及び上記少なくとも１つの被呼出端末機へ転送する。
2008544627.tif 000002
【特許請求の範囲】
【請求項１】
緊急事態通知メッセージ、少なくとも一つの被呼出端末機（受信先）の電話番号、及び基地局（ＢＳ）識別情報を含む第１の緊急メッセージ、並びに、当該緊急事態通知メッセージ及び加入者の電話番号を含む第２の緊急メッセージを生成して送信する呼出端末機と、
当該第１及び第２の緊急メッセージを受信し、かつ該受信された第１及び第２の緊急メッセージを管理サーバ及び前記少なくとも１つの被呼出端末機へ転送するＢＳと、
当該第１の緊急メッセージを受信し、前記ＢＳ識別情報を用いて加入者位置情報を生成し、かつ該加入者位置情報を前記少なくとも１つの被呼出端末機及び緊急事態受信センターに通知する前記管理サーバと、
を含むことを特徴とする緊急呼出システム。
【請求項２】
前記呼出端末機は、緊急呼出キー及びメモリを含み、
前記緊急呼出キーの入力に応じて、前記第１及び第２の緊急メッセージを送信し、
当該メモリは、緊急事態通知メッセージ、管理サーバ登録ＩＤ、少なくとも一つの被呼出端末機電話番号、及びＢＳ識別情報を記憶することを特徴とする請求項１記載の緊急呼出システム。
【請求項３】
前記管理サーバは、前記少なくとも一つの被呼出端末機から呼出加入者の位置情報に対する要求を検知した場合には、前記ＢＳ識別情報に基づいて、前記呼出加入者の位置を計算して音声案内を提供することを特徴とする請求項１記載の緊急呼出システム。
【請求項４】
前記管理サーバは、前記被呼出端末機から呼出加入者の位置情報要求を検知した場合には、前記ＢＳ識別情報に基づいて、当該呼出加入者の位置を計算して地図に表示し、当該地図をダウンロードするためのユニフォームリソースロケータ（ＵＲＬ）を前記被呼出端末機へ送信することを特徴とする請求項１記載の緊急呼出システム。
【請求項５】
前記管理サーバは、緊急通知情報を前記緊急事態受信センターへ送信することを特徴とする請求項１記載の緊急呼出システム。
【請求項６】
前記緊急通知情報は、前記加入者位置情報を含むことを特徴とする請求項５記載の緊急呼出システム。
【請求項７】
前記呼出端末機は、緊急救助モードまたは指定呼出モードを識別し、該緊急救助モードまたは該指定呼出モードに従って動作し、かつ該緊急救助モードで前記第１の緊急メッセージを前記管理サーバへ送信することを特徴とする請求項１記載の緊急呼出システム。
【請求項８】
前記呼出端末機は、前記第１及び第２の緊急メッセージを送信した後に、緊急モードに切り替えられ、該緊急モードで、前記少なくとも１つの被呼出端末機が音声通話を送信する場合には、マイクロフォンを駆動して、該マイクロフォンからの音声信号を介して緊急情報を前記少なくとも１つの被呼出端末機へ転送するように構成されることを特徴とする請求項１記載の緊急呼出システム。
【請求項９】
当該第１または第２の緊急メッセージは、前記加入者の管理サーバ登録ＩＤをさらに含むことを特徴とする請求項１記載の緊急呼出システム。
【請求項１０】
呼出端末機と、少なくとも１つの被呼出端末機と、予め登録された加入者の緊急事態を緊急事態受信センターに通知するための管理サーバと、基地局（ＢＳ）とを含む緊急呼出システムにおける緊急呼出を制御する方法であって、
当該端末機で呼出モードを判定するステップと、
緊急救助モードで、第１の緊急メッセージ及び第２の緊急メッセージを生成し、かつ指定呼出モードで、当該第２の緊急メッセージを生成するステップと、
当該緊急救助モードで、当該第１の緊急メッセージ及び当該第２の緊急メッセージを前記管理サーバ及び前記少なくとも１つの被呼出端末機へ送信するステップと、
当該指定呼出モードで、当該第２の緊急メッセージを前記少なくとも１つの被呼出端末機へ送信するステップと、
を含むことを特徴とする方法。
【請求項１１】
当該緊急救助モードまたは当該指定呼出モードは、前記呼出端末機で緊急呼出機能が設定されて登録されている場合に、ユーザにより決定されることを特徴とする請求項１０記載の方法。
【請求項１２】
当該第１の緊急メッセージは、緊急事態通知メッセージ、前記少なくとも一つの被呼出端末機（受信先）の電話番号、及びＢＳ識別情報を含み、
当該第２の緊急メッセージは、当該緊急事態通知メッセージ及び前記加入者の電話番号を含むことを特徴とする請求項１０記載の方法。
【請求項１３】
当該第１または第２の緊急メッセージは、前記加入者の管理サーバ登録ＩＤをさらに含むことを特徴とする請求項１２記載の方法。
【請求項１４】
前記管理サーバは、当該第１の緊急メッセージを受信した場合には、緊急通知情報を前記緊急事態受信センターへ送信するステップをさらに含むことを特徴とする請求項１０記載の方法。
【請求項１５】
前記管理サーバが当該第１の緊急メッセージを受信した場合には、前記少なくとも一つの被呼出端末機が前記管理サーバから加入者位置情報を受信することを希望するか否かを尋ねるメッセージを送信するステップと、
前記少なくとも一つの被呼出端末機からの応答が受信された場合には、当該加入者位置情報を提供するステップと、
をさらに含むことを特徴とする請求項１０記載の方法。
【請求項１６】
前記少なくとも一つの被呼出端末機が前記第２の緊急メッセージを受信した場合には、前記少なくとも一つの被呼出端末機からの加入者位置情報に対する要求を前記管理サーバへ送信するステップと、
前記管理サーバから当該加入者位置情報を受信するステップと、
をさらに含むことを特徴とする請求項１０記載の方法。
【請求項１７】
当該第１の緊急メッセージは、当該第２の緊急メッセージの前に送信されることを特徴とする請求項１０記載の方法。
【請求項１８】
緊急呼出機能を設定して登録するステップをさらに含み、
当該登録するステップは、前記緊急メッセージが前記呼出端末機のユーザにより送信される少なくとも１つの緊急メッセージ受信先、前記緊急メッセージの内容、及び前記緊急メッセージの送信回数を登録することによりなされることを特徴とする請求項１０記載の方法。
【請求項１９】
緊急呼出機能を設定して登録するステップをさらに含み、
当該登録するステップは、前記緊急メッセージが前記呼出端末機のユーザにより送信される少なくとも１つの緊急メッセージ受信先、前記緊急メッセージの内容、及び前記緊急メッセージの送信回数を登録することによりなされることを特徴とする請求項１１記載の方法。
【請求項２０】
前記少なくとも１つの緊急メッセージ受信先の登録は、予め記憶されている電話番号を検索して、当該ユーザにより選択された所定の電話番号を登録することにより遂行されることを特徴とする請求項１８記載の方法。
【請求項２１】
前記少なくとも１つの緊急メッセージ受信先の登録は、当該ユーザからの直接記録により遂行されることを特徴とする請求項１８記載の方法。
【請求項２２】
前記緊急メッセージ内容の登録は、予め記憶されている緊急メッセージ内容を検索して、ユーザにより選択された所定の緊急メッセージ内容を登録することにより遂行されることを特徴とする請求項１８記載の方法。
【請求項２３】
前記緊急メッセージ内容の登録は、当該ユーザからの直接記録により遂行されることを特徴とする請求項１８記載の方法。
【請求項２４】
緊急通話待機モードで着呼が検知された場合に発信元を判定するステップと、
当該着呼が緊急メッセージ受信先から受信された場合には、着呼通知なしに通話を自動的に接続するステップと、
当該着呼が前記緊急メッセージ受信先ではない他の発信元から受信された場合には、当該通話を拒否し、ユーザの緊急事態を知らせるための自動応答メッセージを前記発信元へ送信するステップと、
をさらに含むことを特徴とする請求項１０記載の方法。
【発明の詳細な説明】
【技術分野】
【０００１】
本発明は、移動通信システム及び呼出制御方法に関し、特に、移動通信端末機を用いて緊急事態を第三者に知らせることができる緊急呼出システム及びその制御方法に関する。
【背景技術】
【０００２】
移動通信端末機のユーザが緊急事態（例えば、交通事故、火災、盜難、または強盗の侵入など）に遭遇して救助を要請する場合には、だれかに直接呼接続を試みる。呼が接続された場合には、ユーザは、救助を要請するために、現在の状況及び位置を説明しなければならない。しかしながら、当該呼接続に失敗した場合には、ユーザは、他の連絡先電話番号を探して呼過程を繰り返さなければならないため、早急に必要としている救助の要請が間に合わない場合もある。また、強盗に直面した場合には、ユーザが救助を要請するための呼接続を遂行することは、不可能に近い。
【０００３】
ある移動通信プロバイダーがサービスを提供することにより、ユーザは、緊急救助要請を移動通信事業者へ送信し、移動通信事業者は、該ユーザの位置及びユーザの緊急事態を判断できる映像を該ユーザにより予め指定されている受信先に提供して、該ユーザと上記緊急救助要請を受信した人々との呼を接続する。しかしながら、緊急事態において、ユーザが複数の人に呼を接続することは、困難である。
【０００４】
また他のサービスでは、全地球測位システム（Global Positioning System；ＧＰＳ）受信器のような測位システムは、ユーザの現在の状況や位置情報を知らせるために使用される。かかるサービスを用いて、ユーザの現在の位置を追跡して受信先に知らせるか、または、動画を撮って受信先へ送信する。かかるサービスを受信するためには、ユーザは、ＧＰＳ及び画像キャプチャ機能を兼ね備えた別途の移動通信端末機を購入しなければならない。また、現在の位置情報または動画／静止画を提供するために使用される方法は、移動通信事業者ごとに異なって提供されるため、ユーザは、緊急事態通知システムをうまく活用するためには、同一のプロバイダーからすべての移動通信サービスを受ける必要がある。さらに、緊急事態を迅速かつ効率的に処理することができる警察署または消防署のような役所に緊急事態通知メッセージをリンクするための方法がまったくないという短所もあった。
【発明の開示】
【発明が解決しようとする課題】
【０００５】
上記背景に鑑みて、本発明の目的は、移動通信端末機のユーザが緊急事態に直面した場合には、ワンタッチ方式で、緊急通知及び緊急救助要請用短文メッセージを送信することができる緊急呼出システム及び方法を提供することにある。
本発明の他の目的は、複数の受信先に緊急メッセージを同時に送信することができる緊急呼出システム及びその制御方法を提供することにある。
本発明のさらなる目的は、移動通信事業者のサービス加入またはサービスの種類に関係なく、移動通信端末機だけを用いて緊急呼出を行うことができるシステム及び方法を提供することにある。
【０００６】
本発明のもう一つの目的は、緊急呼出を行った移動通信端末機のユーザが音声通話を遂行することができない状況でも、緊急事態を認識した受信先が呼接続を試みた場合には、ユーザの現在の緊急事態を正確かつ安全に把握することができる緊急呼出システム及びその制御方法を提供することにある。
本発明のさらにもう一つの目的は、緊急事態にある加入者が緊急呼出を行った場合には、緊急事態への対処が可能な警察署や消防署などのような役所に緊急呼出を自動的にリンクすることができる緊急呼出システム及びその制御方法を提供することにある。
【課題を解決するための手段】
【０００７】
上記のような目的を達成するために、本発明の一態様は、少なくとも一つの被呼出端末機と、予め登録された加入者の緊急事態を認識した場合には、該緊急事態を緊急事態受信センターに通知するための管理サーバと、緊急事態通知メッセージ、少なくとも一つの被呼出端末機（受信先）の電話番号、加入者の電話番号、加入者の管理サーバ登録ＩＤ、及び基地局（ＢＳ）識別情報を含む第１の緊急メッセージと、当該緊急事態通知メッセージ、当該加入者の電話番号、及び当該ＢＳ識別情報を含む第２の緊急メッセージとを生成して送信するための呼出端末機と、当該第１及び第２の緊急メッセージを受信し、該受信された第１及び第２の緊急メッセージを上記管理サーバ及び上記少なくとも１つの被呼出端末機へ転送するＢＳと、を含む緊急呼出システムにより達成されることができる。
【０００８】
本発明の他の態様は、呼出端末機と、少なくとも１つの被呼出端末機と、予め登録された加入者の緊急事態を認識した場合には、該緊急事態を緊急事態受信センターに通知するための管理サーバと、基地局（ＢＳ）とを含む緊急呼出システムにおける緊急呼出を制御するための方法により達成されることができる。かかる方法は、当該呼出端末機が緊急事態通知用キーの入力を検知した場合には、緊急事態通知メッセージ、少なくとも一つの被呼出端末機（受信先）の電話番号、加入者の電話番号、加入者の管理サーバ登録ＩＤ、及び基地局（ＢＳ）識別情報を含む第１の緊急メッセージと、該緊急事態通知メッセージ、当該加入者の電話番号、及び当該ＢＳ識別情報を含む第２の緊急メッセージとを生成して送信するステップと、該ＢＳが当該第１の緊急メッセージ及び第２の緊急メッセージを受信した場合には、動作モードを検査するステップと、該動作モードが指定呼出モードである場合には、当該第２の緊急メッセージを上記少なくとも１つの被呼出端末機のみへ送信し、該動作モードが緊急救助モードである場合には、当該第１の緊急メッセージを上記管理サーバへ送信するステップと、を含むことを特徴とする。
【発明の効果】
【０００９】
本発明は、移動通信端末機のユーザが緊急事態にある場合には、ワンタッチ方式で、緊急事態通知及び緊急救助要請用短文メッセージが送信されるという点で便利に使用されることができる。緊急メッセージは、複数の受信先へ同時に送信されることもできる。また、移動通信事業者のサービス加入またはサービスの種類に関係なく、移動通信端末機だけを用いて緊急呼出を行うことができる。さらに、当該ユーザが音声通話を行うことができないときでも、通話路が受信先と接続された場合には、周辺音を通してユーザの緊急事態を正確かつ安全に把握することができる。なお、当該緊急呼出は、緊急事態を管理する管理サーバを通して、警察署または消防署などのような役所に自動的にリンクされて、ユーザが容易に救助されることができるように、当局に通知されることができるという長所がある。
【発明を実施するための最良の形態】
【００１０】
以下、本発明の好適な一実施形態を、添付図面を参照しつつ詳細に説明する。図面において、同一のまたは類似した構成要素については、たとえ他の図面に表示されても、できるだけ同一の参照符号で表示する。更に、下記の説明において、特定の電話番号などのような特定事項が示されるが、これは、本発明のより全般的な理解のために提供されたもので、このような特定事項なしにも本発明が実施されることができることは、当該技術分野における通常の知識を有する者には明らかである。なお、本発明を説明するに際して、本発明の要旨のみを明瞭にする目的で、関連した公知の機能または構成に関する具体的な説明は、適宜省略する。
【００１１】
図１は、本発明の好ましい実施形態による緊急呼出システムの構成を示すブロック図である。
緊急事態が発生した場合には、加入者は、所定の方式で、呼出加入者の端末機（以下、“呼出端末機”と称する。）５１０の緊急事態通知用キー（以下、“緊急呼出キー”と称する。）を入力する。呼出端末機５１０は、緊急事態通知用短文メッセージ（以下、“緊急メッセージ”と称する。）を生成し、該生成された短文メッセージを基地局（ＢＳ）５２０へ送信する（動作１１２）。この際、第１及び第２の緊急メッセージは、メモリ（図示せず）に予め記憶されていた情報を用いて自動で生成される。かかる情報は、緊急事態通知のためのメッセージと、ユーザ識別子（ＩＤ）と、少なくとも１つの被呼出端末機の電話番号（すなわち、受信先リスト）と、サービング（serving）ＢＳ識別情報などとを含む。当該ユーザＩＤは、当該加入者が緊急管理サーバ５４０（以下、“管理サーバ”と称する。）に登録される際に設定されたＩＤである。
【００１２】
ＢＳ５２０は、当該第１及び第２の緊急メッセージを受信し、これらを被呼出加入者の端末機（以下、“被呼出端末機”と称する。）５３０及び管理サーバ５４０へ転送する（動作１１４及び１２０）。１つの被呼出端末機５３０が図１に示されているが、複数の被呼出端末機と連絡を取ってもよい。また、呼出端末機または被呼出端末機は、携帯電話、個人用携帯情報端末機（Personal Data Assistant：ＰＤＡ）、ブラックベリー（blackberry）などを含む任意の携帯通信装置であってもよい。
ＢＳ５２０が被呼出端末機５３０からの音声通話（voice call）を検知した場合には（動作１１８）、該音声通話は、呼出端末機５１０へ転送される（動作１１６）。被呼出端末機からの音声通話は、被呼出加入者、すなわち、緊急メッセージ受信先が呼出加入者の緊急事態を認識して、危険にさらされているユーザとの連絡を試みることを示す。
【００１３】
当該加入者から当該第１の緊急メッセージを受信するための特定の電話番号、または、緊急事態通知メッセージの第１の受信先が、管理サーバ５４０に割り当てられる。管理サーバ５４０は、緊急メッセージを受信した場合には、ＢＳ識別情報を用いて加入者の位置情報を正確に計算し、該計算された位置情報を緊急事態受信センター５６０及び被呼出者に通知する。また、ユーザ認証手順は、サーバ登録ＩＤを用いて遂行される。当該通知は、電子メールによって実現されることができる。
【００１４】
一方、被呼出加入者（緊急メッセージ受信先）は、被呼出端末機５３０を介して管理サーバ５４０または移動通信事業者５５０から呼出加入者（緊急事態にあるユーザ）、すなわち、呼出端末機５１０の位置情報を受信することができる。当該呼出加入者の位置情報に対する要求が被呼出端末機５３０から受信された場合には（動作１２２）、管理サーバ５４０は、ＢＳ識別情報に基づいて、当該呼出加入者の位置を計算して音声案内を提供する（動作１２４）。
【００１５】
また、管理サーバ５４０は、当該呼出加入者の位置を計算して、地図に表示した後に、当該地図をダウンロードするためのユニフォームリソースロケータ（uniform resource locator；ＵＲＬ）を短文メッセージの形態で被呼出端末機５３０へ送信する（動作１２４）。
管理サーバ５４０は、多くの方法で位置情報を把握することができる。管理サーバ５４０は、緊急メッセージに含まれているＢＳ識別情報をそれ自体のデータベースの位置情報とマッチングするか、または、移動通信事業者５５０のデータベースを適用することにより、位置情報を把握することができる。ＢＳ識別情報が各ＢＳに割り当てられた識別情報であるため、管理サーバ５４０または移動通信事業者５５０は、ＢＳ識別情報とマッチングされた地理的情報をデータベースに格納して、加入者の位置を確認する。
【００１６】
また、移動通信事業者５５０は、被呼出端末機５３０から上記呼出加入者の位置情報に対する要求を受信することができる(動作１２６)。上記呼出加入者が友達検索サービスのような他の移動通信ユーザの位置を提供するためのサービスに登録された場合には、移動通信事業者５５０は、上記呼出加入者の位置を探し出し、上記呼出加入者の位置を被呼出端末機５３０に通知する（動作１２８）。
【００１７】
図２は、本発明の好ましい実施形態による呼出端末機または被呼出端末機用移動通信端末機の構成を示すブロック図である
呼出端末機５１０は、図１に示したように、これらの機能に従って、被呼出端末機５３０と区別される。しかしながら、これらの役割は、指定可能であり、互換可能である。
図２をさらに参照して、呼出し機能を遂行する場合における端末機の構成について説明する。送受信部（transceiver circuitry）３１は、ユーザにより予め入力されるか、または、端末機に初期に入力された所定のメッセージを予め定められた受信先へ送信する。上記メッセージは、緊急通知のために設計され、修正される。
【００１８】
マイクロ制御部３３は、緊急呼出キーの入力を検知し、メモリ３９に記憶されている緊急事態通知メッセージ及び受信先リストを読み出す。マイクロ制御部３３は、上記緊急事態通知メッセージ、上記受信先リスト、ＢＳ識別情報、及びサーバ登録ＩＤを用いて、第１及び第２の緊急メッセージを生成する。好ましくは、ＢＳ識別情報は、当該端末機が移動通信網のＢＳと通信する際に取得される。
上記第１及び第２の緊急メッセージが送信された後に、マイクロ制御部３３は、当該端末機を緊急モードに切り替える。音声呼接続要求が任意の受信先から受信された場合には、マイクロ制御部３３は、上記緊急モードに従って、スピーカー４３、マイクロフォン４５、及び表示部３５の機能を適切に制御する。例えば、マイクロ制御部３３は、緊急メッセージ受信先ではない他の端末機からの呼接続を拒否する。
【００１９】
メモリ３９は、緊急事態通知メッセージ及び移動通信端末機の動作を制御するためのプログラムを記憶する。かかるメッセージは、ユーザの入力に従って変更されて記憶されることができる。さらに具体的に、メモリ３９は、少なくとも１つの受信先電話番号（被呼出端末機）、管理サーバ５４０の電話番号、及びサーバ登録ＩＤを記憶することができる領域を含む。当該サーバ登録ＩＤは、第１の緊急メッセージに含まれて管理サーバ５４０へ送信される。管理サーバ５４０は、上記サーバ登録ＩＤに基づいて、ユーザ（すなわち、呼出加入者）に対する認証手順を遂行した後に、該認証手順の結果を緊急事態受信センター５６０に通知する。
【００２０】
表示部３５は、マイクロ制御部３３の管理の下で、当該受信先を設定するための動作状態を表示するか、または、テキストの形式で緊急メッセージを送信するための動作状態を表示する。また、表示部３５は、当該緊急メッセージが送信された後に、移動通信端末機が緊急モードで動作していることを示すために、予め定められたアイコンを表示する。例えば、上記予め定められたアイコンは、ＳＯＳメッセージが送信されている状態、確認電話／受信待機状態などを示す。当該緊急メッセージが送信された後、終了（ＥＮＤ）キーが当該緊急モードで入力される前に、端末機のバックライトは、ユーザが緊急メッセージを送信した事実を犯罪者が認識できないように、動作しない。
【００２１】
マイクロ制御部３３の制御の下で、スピーカー４３は、ＥＮＤキーが入力されるまで、音声がミュートされる。当該緊急モードで、呼接続要求が緊急メッセージ受信先から受信された場合には、端末機は、着信音が鳴動することなく、自動的に接続される。
【００２２】
折り畳み型端末機が閉じている場合には、該端末機は、ミュート状態で動作する。上記折り畳み型端末機が開いている場合には、該端末機は、音を出して動作することができる。スピーカー４３がミュート状態で動作しても、マイクロフォン４５は、ミュート状態ではない。これは、呼が接続された場合には、通話中の相手先が端末機ユーザの緊急事態を把握することができるようにするためである。
上記緊急モードで、当該緊急メッセージ受信先からの呼が自動的に接続された場合には、マイクロフォン４５は、音声を拾い、該拾われた音声を電気信号に変換する。これにより、受信先での元来の音声にデコーディングされた場合には、当該相手先は、上記電気信号を介して端末機ユーザの現在の状況を把握することができる。
【００２３】
キー入力部３７は、複数のキーなどを有するキーパッドで構成される。キー入力部３７は、緊急呼出機能を遂行するための加入者設定のために使用されるキーだけでなく、移動通信端末機における各種機能（カメラ、スピーカーボリュームなどと関連した）を制御するための別途のボタンも含む。緊急呼出のための別途のボタンは、移動通信端末機の片側に付加的に取り付けられることができる。相互に異なる機能のために割り当てられたボタンは、新たに定義されて、緊急呼出ボタンとして使用されることもできる。例えば、この移動通信システムは、スピーカーボリュームボタンが数秒もしくはそれ以上押下されるか、または、連続して数回（例えば、４回）にわたって押下される場合には、当該緊急メッセージが生成されて送信されることができるように、定義されることができる。
【００２４】
次いで、被呼出端末機の機能及び構成について説明する。
送受信部３１は、呼出端末機から第２の緊急メッセージを受信し、管理サーバ５４０または移動通信事業者５５０から加入者位置情報を受信する。上記第２の緊急メッセージが受信された場合には、マイクロ制御部３３は、オーディオ部４１を制御して、上記端末機の現在の動作（例えば、振動または呼接続動作など）に関係なく、該緊急メッセージにユニークな、別途に設定された警告音を鳴らせることにより、上記被呼出端末機のユーザが該第２の緊急メッセージが受信された事実に関する通知を受けることができるようにする。表示部３５は、上記受信された第２の緊急メッセージもしくは加入者位置情報、または、両方ともを表示する。 
【００２５】
図３Ａから図３Ｇは、本発明の好ましい実施形態による呼出加入者が緊急呼出設定過程を遂行する場合における表示画面の例を示す図である。
図３Ａは、メッセージ管理メニュー画面を示す。例えば、“ＡＮＹＣＡＬＬ ＳＯＳ”という用語は、本発明に従った緊急呼出機能を意味する。
【００２６】
図３Ｂは、図３Ａに示したような画面で、呼出加入者が“ＡＮＹＣＡＬＬ ＳＯＳ”を選択した際のサブメニュー画面を示す。参照符号４００で示されるように、当該呼出加入者は、緊急救助モードまたは指定呼出モードを設定することができる。上記緊急救助モードは、第１の緊急メッセージ及び第２の緊急メッセージを生成し、該生成された第１の緊急メッセージ及び第２の緊急メッセージを管理サーバ５４０及び被呼出端末機５３０へ送信するための動作モードである一方で、上記指定呼出モードは、該第２の緊急メッセージだけを生成し、該生成された第２の緊急メッセージを被呼出端末機５３０のみへ送信するための動作モードである。図３Ｂに示すように、２つのウィンドー４１０及び４２０が開いている。ウィンドー４１０は、受信先電話番号を入力するために使用され、ウィンドー４２０は、指定された所定の緊急事態通知メッセージを表示するために使用される。
【００２７】
かかる呼出加入者は、加入者自身の基準で指定された優先順位に従って、少なくとも１つの受信先電話番号を入力しなければならない。なぜならば、緊急事態の発生の際に、この呼出加入者が通信網の状況を予測することができないため、複数の受信先電話番号を呼出端末機に格納しておいて使用するものである。緊急メッセージ受信先がこのメッセージを受信できなかった場合、例えば、被呼出端末機が電源オフ状態であるか、または、受信先が不在中であるか、または、通話中である場合には、該緊急メッセージが記憶されている複数の受信先電話番号へ送信されるため、誰かが緊急事態に関する通知を受ける。
受信する側で、この緊急事態通知メッセージは、自動的に表示される。もちろん、呼出加入者は、メッセージ内容を直接入力することもでき、または、該メッセージ内容を修正することもできる。
【００２８】
図３Ｃは、図３Ｂの画面で呼出加入者により入力された受信先リストを表示するための画面を示すもので、該呼出加入者は、受信先電話番号が正確に入力されたか否か、そして、優先順位が変更される必要があるか否かを確認することができる。実際には、図３Ｃに示す受信先リストが管理サーバ５４０の電話番号を表示しないとしても、かかるリストは、管理サーバを受信先として含むことに留意しなければならない。一般的な受信先の優先順位レベルは、管理サーバ５４０の優先順位レベルより高くてはならない。また、この呼出端末機は、全ての受信先電話番号の入力が終了された後に、確認（ＯＫ）キーが入力されると、図３Ｂの画面が図３Ｃの画面と取り替えられるように実現されることができる。
【００２９】
図３Ｄは、緊急通知の回数を設定するための画面を示す。呼出端末機は、呼出加入者が図３Ｃの画面からの入力内容を確認した後に、ＯＫキーを入力すると、図３Ｄの画面が表示されるように実現されることができる。
図３Ｅは、呼出加入者の管理サーバ登録ＩＤを入力するための画面を示す。呼出端末機は、図３Ｄの画面で呼出回数（例えば、２回）が設定された後に、アップスクロールキーが入力されると、図３Ｅの画面が表示されるように実現されることができる。例えば、“ＡＮＹＣＡＬＬ ＬＡＮＤ”は、本発明による緊急呼出システムの管理サーバ５４０（例えば、無線インターネットホームページ）を示す。
【００３０】
図３Ｆは、管理サーバに接続するための認証ＩＤを入力するための画面を示す。
図３Ｇは、“ヘルプ（ＨＥＬＰ）”が図３Ｂまたは図３Ｄの画面で選択される際のヘルプテキストを表示するための画面を示す。かかるヘルプテキストは、緊急呼出機能を使用する方法を示すメッセージを含む。
【００３１】
図４Ａ及び図４Ｂは、本発明の好ましい実施形態による緊急呼出の際における被呼出加入者端末機の画面に表示される短文メッセージの例を示す図である。
図４Ａは、呼出端末機５１０が緊急メッセージを生成して送信した後に、被呼出端末機５３０の画面上に表示される第２の緊急メッセージの例を示す。上記被呼出加入者が当該第２の緊急メッセージを確認して通話（ＳＥＮＤ）ボタンを押下した場合には、音声通話が呼出端末機５１０へ送信される。第２の緊急メッセージに含まれている緊急事態通知メッセージ、例えば、“緊急事態です。助けてください！”というメッセージは、ユーザにより入力されてもよいし、端末機内に初期に記憶されることとしてもよい。
【００３２】
当該第２の緊急メッセージの内容は、例えば、“［ＡＮＹＣＡＬＬ ＳＯＳ］／／緊急事態です。／／助けて下さい！／／ＢＳ ＩＤ-０００００”などとなることができる。ここで、ＢＳ識別情報は、移動通信端末機がＢＳと通信することができるように予め記憶されている値である。端末機に対するサービングＢＳが変更された場合には、該端末機に記憶されているＢＳ識別情報も変更される。被呼出端末機５３０は、上記ＢＳ識別情報を用いて、上記呼出加入者の位置をおおよそ把握することができる。
【００３３】
図４Ｂは、被呼出端末機５３０の画面上に表示された、管理サーバ５４０により作られた短文メッセージの例を示す。被呼出加入者が上記短文メッセージを確認してＳＥＮＤボタンを押下した場合には、被呼出端末機５３０は、該短文メッセージを通じて転送されたＵＲＬにより管理サーバ５４０に自動的に接続される。被呼出端末機５３０が管理サーバ５４０に接続された場合には、上記被呼出加入者は、管理サーバ５４０から加入者の位置をダウンロードすることができる。
【００３４】
図５は、本発明の好ましい実施形態による緊急呼出制御方法を示すはしご図である。説明の便宜上、そして、本発明を一層よく理解するためには、図５における参照符号Ｓｘｘｘは、図１に示した動作を示す参照符号に対応する。
【００３５】
まず、緊急メッセージを生成し、該生成された緊急メッセージを受信先（被呼出端末機及び管理サーバ）へ転送する過程についての詳細を説明する。
ステップＳ１１２_１で、呼出端末機５１０が第１の緊急メッセージをＢＳ５２０へ送信した場合には、ステップＳ１２０で、ＢＳ５２０は、当該第１の緊急メッセージを管理サーバ５４０へ転送する。その後に、ステップＳ１１２_２で、呼出端末機５１０が第２の緊急メッセージをＢＳ５２０へ送信した場合には、ステップＳ１１４で、ＢＳ５２０は、該第２の緊急メッセージを被呼出端末機５３０へ転送する。
【００３６】
上記緊急メッセージは、管理サーバ５４０へ送信する第１の緊急メッセージとユーザにより指定された他の受信先へ送信する第２の緊急メッセージとに区分される。当該第１の緊急メッセージは、緊急事態通知メッセージ、少なくとも一つの被呼出端末機（受信先）の電話番号、加入者の電話番号、管理サーバ登録ＩＤ、及びＢＳ識別情報を含む。当該第２の緊急メッセージは、上記緊急事態通知メッセージ、上記加入者の電話番号、及び上記ＢＳ識別情報を含む。
【００３７】
好ましくは、上記緊急メッセージは、移動通信端末機のアイドルモードで送信される。かかる緊急メッセージが送信された場合には、メモリ３９に記憶されている受信先リストを参照して、このメッセージを電話番号が記憶されている順に送信する。すなわち、上記緊急メッセージは、まず、管理サーバ５４０へ送信される。その次に、上記緊急メッセージは、ユーザにより指定された受信先へ順次に送信される。
【００３８】
送信の間にエラーが発生した場合には、好ましくは、当該メッセージの再送信が遂行されるのではなく、むしろ次の受信先へ送信される。上記メッセージが予め記憶されていた全ての受信先電話番号へ送信された後に、該メッセージの送信に失敗した受信先に対する再送信が遂行される。例えば、図３Ｃに示すように、１０個の受信先電話番号（＝１個の管理サーバ電話番号＋９個の被呼出端末機電話番号）が記憶されることができる。図３Ｅに示すように、該当する受信先へのメッセージの送信回数、すなわち、呼出回数が２に設定された場合には、該当する緊急メッセージは、１回送信された後に、該当する受信先へ再送信される。
【００３９】
呼出端末機５１０は、緊急メッセージ送信の開始と同時に微弱に振動することができる。ユーザは、振動モードを介して、送信動作が正確に遂行されたことを認識する。かかる振動モードは、選択事項である。
【００４０】
当該緊急メッセージが一般メッセージとは異なって処理されるため、呼出端末機５１０は、当該緊急メッセージを生成する際に、特殊文字コードを当該緊急メッセージに添付し、これにより、当該緊急メッセージが容易に区別されて識別されることができるようにする。従って、被呼出端末機５３０が特殊文字コードを検出した場合には、受信されたメッセージが緊急メッセージであることを認識する。この際、被呼出端末機５３０は、予め定められたテキストメッセージ通知方法とは関係なく、受信された緊急メッセージを知らせるための鳴動音を最大の音量で生成する。緊急メッセージ受信通知音が従来のテキストメッセージ受信の通知音と異なることが好ましい。ここで、上記緊急メッセージ受信用通知音は、緊急着信音と呼ばれる。上記緊急メッセージが受信された場合には、当該緊急着信音は、設定された通知間隔に従って、１回または２分間隔で生成される。
【００４１】
また、被呼出端末機５３０が通話している間に、上記緊急メッセージが受信された場合には、該緊急メッセージ受信を知らせるための緊急着信音は、低音量で出力される。さらに、ブラウザ、モデム通信、または、付加サービスが実行されている間に、上記緊急メッセージが受信された場合には、アイコンは、上記緊急着信音と同時に、表示部３５に表示される。
【００４２】
呼出端末機５１０は、緊急モードで外部からの呼接続要求を検知した場合には、発信元の電話番号を確認する。上記発信元が緊急メッセージ受信先である場合には、呼出端末機５１０は、即座に呼接続を行う。しかしながら、上記発信元が緊急メッセージ受信先ではない場合には、呼接続を拒否する。この際、呼出端末機５１０は、自動応答機能を用いて、ユーザが緊急事態にあるという事実が警察署／消防署に知らされなければならないことを示すメッセージを送信することができる。
【００４３】
次いで、管理サーバ５４０が緊急事態を通知された後に遂行される過程について説明する。
ステップＳ１３０で、管理サーバ５４０は、緊急事態通知メッセージ及び加入者位置情報を緊急事態受信センター５６０、すなわち、警察署または消防署などのような役所へ送信する。上記位置情報は、地図データまたは自動応答メッセージを使用することができる。その後に、ステップＳ１２４_１で、管理サーバ５４０は、当該第１の緊急メッセージに含まれている被呼出端末機の電話番号を抽出して、加入者位置情報が提供される必要があるか否かを聞く短文メッセージを送信する。
【００４４】
当該受信先が呼出加入者から第２の緊急メッセージをすでに受信したが、呼出加入者の正確な位置を確認することができない場合には、管理サーバ５４０からのメッセージが、生成された加入者位置情報を確認するために必要とされるサーバＵＲＬ情報を提供することにより、受信先端末機は、該ＵＲＬ情報を用いて管理サーバ５４０に迅速に接続されて、当該加入者位置情報を受信することができる。
【００４５】
ステップＳ１２２で、肯定的な応答が受信先から受信された場合、例えば、ＳＥＮＤボタンが押された場合には、ステップＳ１２４_２で、管理サーバ５４０は、該受信先に当該加入者位置情報を提供する。この際、当該加入者位置情報を提供する方法は、地図ファイルや自動応答メッセージなどを活用することができる。
【００４６】
当該第１の緊急メッセージがサーバ登録ＩＤを含むため、管理サーバ５４０は、当該第１の緊急メッセージを受信した場合には、当該サーバ登録ＩＤを確認し、該確認されたサーバ登録ＩＤに従って該当するデータベースを検索して、当該呼出加入者を把握することができる。
【００４７】
管理サーバ５４０から緊急事態受信センター５６０へ送信された電子メールは、当該加入者位置情報を含むことができる。当該第１の緊急メッセージがＢＳ識別情報を含むので、管理サーバ５４０は、当該第１の緊急メッセージを受信した場合には、該ＢＳ識別情報を発見し、該発見されたＢＳ識別情報を用いて、当該加入者の位置を正確に追跡する。上記ＢＳ識別情報は、移動通信端末機と通信しているＢＳを識別するための番号である。
【００４８】
従って、上記ＢＳ識別情報を用いて地理的位置を探し出すためには、ＢＳが配備された領域に関する地理的情報、ＢＳが含まれている通信領域に関する情報、及びＢＳ識別情報を含むデータベース（図示せず）が使用される。かかるデータベースは、管理サーバ５４０に含まれていることもあり、または、管理サーバ５４０は、移動通信事業者５５０のデータベースからのＢＳ識別情報だけで、呼出加入者（緊急メッセージ発信元）の正確な位置を追跡することもできる。
また、上記受信先は、ステップＳ１２４_１、ステップＳ１２２、及びステップＳ１２４_２を遂行する代わりに、管理サーバ５４０に発信元位置情報を提供することを直接要求し、該要求に応じた応答を受信することもできる。
【００４９】
次いで、被呼出端末機５３０と移動通信事業者５５０との間の動作過程について説明する。
緊急メッセージを受信した人は、自身の端末機を用いて移動通信事業者に発信元の位置情報を要求することができる。すなわち、ステップＳ１２６で、被呼出加入者は、加入者自身の端末機５３０を用いて、音声またはテキストメッセージで呼出加入者の位置情報を移動通信事業者５５０に要求する。かかる要求を受信した移動通信事業者５５０は、ステップＳ２５０で、当該呼出加入者が移動通信事業者５５０の友達検索サービスまたは位置情報検索サービスに加入しているか否かを確認する。上記確認の結果、当該呼出加入者がこのようなサービスに加入している場合には、ステップＳ２５５で、移動通信事業者５５０は、当該呼出加入者の現在の位置を追跡する。他方、当該呼出加入者がこの友達検索サービスまたは位置情報検索サービスに加入していない場合には、ステップＳ１２８_２で、移動通信事業者５５０は、サービス提供不可応答を送信する。
【００５０】
次いで、被呼出端末機５３０と呼出端末機５１０との間の動作過程について説明する。
緊急メッセージを受信した人がメッセージの発信元と通信することを希望すれば、ステップＳ１１８で、被呼出端末機５３０は、音声通話要求を出し、ステップＳ１１６で、ＢＳ５２０は、該音声通話要求を呼出端末機５１０へ転送する。
呼出端末機５１０は、接続状態に関係なく、ＥＮＤキーが押されるときまでは、緊急モード（緊急通話待機状態）を継続して維持する。上記緊急メッセージを繰返し送信する過程は、途切れないことが好ましい。上記音声通話が受信先から受信された場合には、呼出端末機５１０は、警報鳴動音を発生させることなく、呼接続を自動で行う。上記呼接続が自動的になされた場合には、呼出端末機５１０は、微弱に振動することができる。上記緊急メッセージの送信が開始された後に、ＥＮＤキーが押されるときまで、表示部３５のバックライトは、動作してはならない。
【００５１】
上記緊急メッセージが指定された受信先へ送信される間に、送信失敗メッセージが発生した場合には、該メッセージは、当該指定された受信先へ再送信されるのではなく、次の受信先へ送信される。緊急通話待機状態で、テキストメッセージが当該指定された受信先ではない他の人から受信された場合には、該受信されたメッセージは、通知なしに自動で記憶される。
また、上記緊急モードでは、アラーム／スケジュール／Ｄ-デイ（Ｄ-ｄａｙ）イベントと関連した各種通知を保留一時停止した後に、該緊急モードが終了した場合に処理する。
移動通信端末機が通話領域を離脱した場合に、ユーザが緊急呼出ボタンを動作させると、該端末機は、該緊急呼出ボタンが認識されたことを知らせた後に、通話領域を離脱したことを示すメッセージを外部のウィンドーに表示する。上記端末機がサービス可能領域へ移動した場合には、ユーザは、上記緊急メッセージが送信された後に、これを通知される。
【００５２】
なお、本発明の詳細な説明においては、具体的な実施の形態について説明したが、本発明の範囲から逸脱しない範囲内であれば、種々な変形が可能であることは言うまでもない。よって、本発明の範囲は、上述した実施の形態に限定されるものではなく、特許請求の範囲とその均等物によって定められるべきである。
【図面の簡単な説明】
【００５３】
【図１】本発明の好ましい実施形態による緊急呼出システムの構成を示すブロック図である。
【図２】本発明の好ましい実施形態による呼出端末機または被呼出端末機用移動通信端末機の構成を示すブロック図である。
【図３Ａ】本発明の好ましい実施形態による呼出加入者が緊急呼出を行う場合における表示画面の例を示す図である。
【図３Ｂ】本発明の好ましい実施形態による呼出加入者が緊急呼出を行う場合における表示画面の例を示す図である。
【図３Ｃ】本発明の好ましい実施形態による呼出加入者が緊急呼出を行う場合における表示画面の例を示す図である。
【図３Ｄ】本発明の好ましい実施形態による呼出加入者が緊急呼出を行う場合における表示画面の例を示す図である。
【図３Ｅ】本発明の好ましい実施形態による呼出加入者が緊急呼出を行う場合における表示画面の例を示す図である。
【図３Ｆ】本発明の好ましい実施形態による呼出加入者が緊急呼出を行う場合における表示画面の例を示す図である。
【図３Ｇ】本発明の好ましい実施形態による呼出加入者が緊急呼出を行う場合における表示画面の例を示す図である。
【図４Ａ】本発明の好ましい実施形態による緊急呼出の際における被呼出加入者端末機の画面に表示される短文メッセージの例を示す図である。
【図４Ｂ】本発明の好ましい実施形態による緊急呼出の際における被呼出加入者端末機の画面に表示される短文メッセージの例を示す図である。
【図５】本発明の好ましい実施形態による緊急呼出制御方法を示すはしご図である。
【符号の説明】
【００５４】
３１、３５  送受信部
３３  マイクロ制御部
３７  キー入力部
３９  メモリ
４１  オーディオ部
４３  スピーカー
４５  マイクロフォン
１１２  第１及び第２の緊急メッセージ
１１４  第２の緊急メッセージ
１１６、１１８  音声通話
１２０  第１の緊急メッセージ
１２２、１２６  位置情報要求
１２４、１２８  位置情報通知
１３０  緊急事態電子メールの送信
５１０  呼出端末機
５２０  ＢＳ
５３０  被呼出端末機（受信先）
５４０  管理サーバ
５５０  移動通信事業者
５６０  緊急事態受信センター
【図１】
2008544627.tif 000003
【図２】
2008544627.tif 000004
【図３Ａ】
2008544627.tif 000005
【図３Ｂ】
2008544627.tif 000006
【図３Ｃ】
2008544627.tif 000007
【図３Ｄ】
2008544627.tif 000008
【図３Ｅ】
2008544627.tif 000009
【図３Ｆ】
2008544627.tif 000010
【図３Ｇ】
2008544627.tif 000011
【図４Ａ】
2008544627.tif 000012
【図４Ｂ】
2008544627.tif 000013
【図５】
2008544627.tif 000014
【手続補正書】
【提出日】平成18年6月9日(2006.6.9)
【手続補正１】
【補正対象書類名】特許請求の範囲
【補正対象項目名】全文
【補正方法】変更
【補正の内容】
【特許請求の範囲】
【請求項１】
緊急事態通知メッセージ、少なくとも一つの被呼出端末機（受信先）の電話番号、及び基地局（ＢＳ）識別情報を含む第１の緊急メッセージ、並びに、当該緊急事態通知メッセージ及び加入者の電話番号を含む第２の緊急メッセージを生成して送信する呼出端末機と、
当該第１及び第２の緊急メッセージを受信し、かつ該受信された第１及び第２の緊急メッセージを管理サーバ及び前記少なくとも１つの被呼出端末機の各々へ転送するＢＳと、
当該第１の緊急メッセージを受信し、前記ＢＳ識別情報を用いて加入者位置情報を生成し、かつ該加入者位置情報を前記少なくとも１つの被呼出端末機及び緊急事態受信センターに通知する前記管理サーバと、
を含むことを特徴とする緊急呼出システム。
【請求項２】
前記呼出端末機は、緊急呼出キー及びメモリを含み、
前記緊急呼出キーの入力に応じて、前記第１及び第２の緊急メッセージを送信し、
当該メモリは、緊急事態通知メッセージ、管理サーバ登録ＩＤ、少なくとも一つの被呼出端末機電話番号、及びＢＳ識別情報を記憶することを特徴とする請求項１記載の緊急呼出システム。
【請求項３】
前記管理サーバは、前記少なくとも一つの被呼出端末機から呼出加入者の位置情報に対する要求を検知した場合には、前記ＢＳ識別情報に基づいて、前記呼出加入者の位置を計算して音声案内を提供することを特徴とする請求項１記載の緊急呼出システム。
【請求項４】
前記管理サーバは、前記被呼出端末機から呼出加入者の位置情報要求を検知した場合には、前記ＢＳ識別情報に基づいて、当該呼出加入者の位置を計算して地図に表示し、当該地図をダウンロードするためのユニフォームリソースロケータ（ＵＲＬ）を前記被呼出端末機へ送信することを特徴とする請求項１記載の緊急呼出システム。
【請求項５】
前記管理サーバは、緊急通知情報を前記緊急事態受信センターへ送信することを特徴とする請求項１記載の緊急呼出システム。
【請求項６】
前記緊急通知情報は、前記加入者位置情報を含むことを特徴とする請求項５記載の緊急呼出システム。
【請求項７】
前記呼出端末機は、緊急救助モードまたは指定呼出モードを識別し、該緊急救助モードまたは該指定呼出モードに従って動作し、かつ該緊急救助モードで前記第１の緊急メッセージを前記管理サーバへ送信することを特徴とする請求項１記載の緊急呼出システム。
【請求項８】
前記呼出端末機は、前記第１及び第２の緊急メッセージを送信した後に、緊急モードに切り替えられ、該緊急モードで、前記少なくとも１つの被呼出端末機が音声通話を送信する場合には、マイクロフォンを駆動して、該マイクロフォンからの音声信号を介して緊急情報を前記少なくとも１つの被呼出端末機へ転送するように構成されることを特徴とする請求項１記載の緊急呼出システム。
【請求項９】
当該第１または第２の緊急メッセージは、前記加入者の管理サーバ登録ＩＤをさらに含むことを特徴とする請求項１記載の緊急呼出システム。
【請求項１０】
呼出端末機と、少なくとも１つの被呼出端末機と、予め登録された加入者の緊急事態を緊急事態受信センターに通知するための管理サーバと、基地局（ＢＳ）とを含む緊急呼出システムにおける緊急呼出を制御する方法であって、
当該端末機で呼出モードを判定するステップと、
緊急救助モードで、第１の緊急メッセージ及び第２の緊急メッセージを生成し、かつ指定呼出モードで、当該第２の緊急メッセージを生成するステップと、
当該緊急救助モードで、当該第１の緊急メッセージ及び当該第２の緊急メッセージを前記管理サーバ及び前記少なくとも１つの被呼出端末機へ送信するステップと、
当該指定呼出モードで、当該第２の緊急メッセージを前記少なくとも１つの被呼出端末機へ送信するステップと、
を含むことを特徴とする方法。
【請求項１１】
当該緊急救助モードまたは当該指定呼出モードは、前記呼出端末機で緊急呼出機能が設定されて登録されている場合に、ユーザにより決定されることを特徴とする請求項１０記載の方法。
【請求項１２】
当該第１の緊急メッセージは、緊急事態通知メッセージ、前記少なくとも一つの被呼出端末機（受信先）の電話番号、及びＢＳ識別情報を含み、
当該第２の緊急メッセージは、当該緊急事態通知メッセージ及び前記加入者の電話番号を含むことを特徴とする請求項１０記載の方法。
【請求項１３】
当該第１または第２の緊急メッセージは、前記加入者の管理サーバ登録ＩＤをさらに含むことを特徴とする請求項１２記載の方法。
【請求項１４】
前記管理サーバは、当該第１の緊急メッセージを受信した場合には、緊急通知情報を前記緊急事態受信センターへ送信するステップをさらに含むことを特徴とする請求項１０記載の方法。
【請求項１５】
前記管理サーバが当該第１の緊急メッセージを受信した場合には、前記少なくとも一つの被呼出端末機が前記管理サーバから加入者位置情報を受信することを希望するか否かを尋ねるメッセージを送信するステップと、
前記少なくとも一つの被呼出端末機からの応答が受信された場合には、当該加入者位置情報を提供するステップと、
をさらに含むことを特徴とする請求項１０記載の方法。
【請求項１６】
前記少なくとも一つの被呼出端末機が前記第２の緊急メッセージを受信した場合には、前記少なくとも一つの被呼出端末機からの加入者位置情報に対する要求を前記管理サーバへ送信するステップと、
前記管理サーバから当該加入者位置情報を受信するステップと、
をさらに含むことを特徴とする請求項１０記載の方法。
【請求項１７】
当該第１の緊急メッセージは、当該第２の緊急メッセージの前に送信されることを特徴とする請求項１０記載の方法。
【請求項１８】
緊急呼出機能を設定して登録するステップをさらに含み、
当該登録するステップは、前記緊急メッセージが前記呼出端末機のユーザにより送信される少なくとも１つの緊急メッセージ受信先、前記緊急メッセージの内容、及び前記緊急メッセージの送信回数を登録することによりなされることを特徴とする請求項１０記載の方法。
【請求項１９】
緊急呼出機能を設定して登録するステップをさらに含み、
当該登録するステップは、前記緊急メッセージが前記呼出端末機のユーザにより送信される少なくとも１つの緊急メッセージ受信先、前記緊急メッセージの内容、及び前記緊急メッセージの送信回数を登録することによりなされることを特徴とする請求項１１記載の方法。
【請求項２０】
前記少なくとも１つの緊急メッセージ受信先の登録は、予め記憶されている電話番号を検索して、当該ユーザにより選択された所定の電話番号を登録することにより遂行されることを特徴とする請求項１８記載の方法。
【請求項２１】
前記少なくとも１つの緊急メッセージ受信先の登録は、当該ユーザからの直接記録により遂行されることを特徴とする請求項１８記載の方法。
【請求項２２】
前記緊急メッセージ内容の登録は、予め記憶されている緊急メッセージ内容を検索して、ユーザにより選択された所定の緊急メッセージ内容を登録することにより遂行されることを特徴とする請求項１８記載の方法。
【請求項２３】
前記緊急メッセージ内容の登録は、当該ユーザからの直接記録により遂行されることを特徴とする請求項１８記載の方法。
【請求項２４】
緊急通話待機モードで着呼が検知された場合に発信元を判定するステップと、
当該着呼が緊急メッセージ受信先から受信された場合には、着呼通知なしに通話を自動的に接続するステップと、
当該着呼が前記緊急メッセージ受信先ではない他の発信元から受信された場合には、当該通話を拒否し、ユーザの緊急事態を知らせるための自動応答メッセージを前記発信元へ送信するステップと、
をさらに含むことを特徴とする請求項１０記載の方法。
【手続補正２】
【補正対象書類名】明細書
【補正対象項目名】００１２
【補正方法】変更
【補正の内容】
【００１２】
ＢＳ５２０は、当該第１及び第２の緊急メッセージを受信し、これらを被呼出加入者の端末機（以下、“被呼出端末機”と称する。）５３０及び管理サーバ５４０の各々へ転送する（動作１１４及び１２０）。１つの被呼出端末機５３０が図１に示されているが、複数の被呼出端末機と連絡を取ってもよい。また、呼出端末機または被呼出端末機は、携帯電話、個人用携帯情報端末機（Personal Data Assistant：ＰＤＡ）、ブラックベリー（blackberry）などを含む任意の携帯通信装置であってもよい。
ＢＳ５２０が被呼出端末機５３０からの音声通話（voice call）を検知した場合には（動作１１８）、該音声通話は、呼出端末機５１０へ転送される（動作１１６）。被呼出端末機からの音声通話は、被呼出加入者、すなわち、緊急メッセージ受信先が呼出加入者の緊急事態を認識して、危険にさらされているユーザとの連絡を試みることを示す。
【国際調査報告】
2008544627.tif 000015
2008544627.tif 000016
2008544627.tif 000017